(57)【要約】  本発明は医療機器システムに関し、このシステムにより連続して検知される生理学的測定信号に応じて患者の投薬が調整される。本発明は、患者の投薬が高い精度によって達成され得る解決方法を提供するという課題に基づいている。この課題は、本発明に基づき、患者の生体組織から測定信号を発生させる、特に、体液の成分組成、並びに必要に応じて一時的にのみ該当する組織部分に存在する、血管に粘着している物質の成分組成を連続して検出する分光計と、分光計側で提供される測定信号を処理し、投薬信号を生成するための信号処理装置と、投薬信号に応じて、薬剤を投与するための投薬装置と、を備える医療機器システムによって解決される。【選択図】図１
2013539989.tif 000002
【特許請求の範囲】
【請求項１】
患者の生体組織から測定信号を発生させる、特に、体液の成分組成、並びに必要に応じて一時的にのみ血管に粘着している物質の成分組成を連続して検出する分光計と、
前記分光計側が提供する前記測定信号を処理し、投薬信号を生成する信号処理装置と、
前記投薬信号に応じて、薬剤を投与するための投薬装置と、を備える医療機器システムであり、
前記信号処理装置が、前記分光計に接続される第１のインタフェースと、前記投薬装置に接続される第２のインタフェース装置と、第３のインタフェース装置とを有し、該第３のインタフェース装置によって、前記分光計側が提供する前記測定信号の評価及び前記投薬信号の決定手順が設定可能であることを特徴とする、医療機器システム。
【請求項２】
前記分光計と前記信号処理装置とが、これらの媒体により、細胞の動力学的プロセス、例えば血管運動作用が検知可能な高いサンプルレートを用いてスペクトルの検知が行われるように形成されていることを特徴とする、請求項１に記載の機器システム。
【請求項３】
前記第３のインタフェース装置によって、それぞれの信号処理プログラムを前記信号処理装置の中にインストールすることができ、これらの前記信号処理プログラムは、ツールボックスの部分として、コンピュータシステムの中に保存されていることを特徴とする、請求項１又は２に記載の機器システム。
【請求項４】
前記投薬信号が０〜９９の範囲の目盛りとして出力されることを特徴とする、請求項１〜３のいずれか一項に記載の機器システム。
【請求項５】
前記分光計が患者の特定の組織部分に取り付け可能な測定ヘッドを含み、該測定ヘッドは光導波路装置を介して分析モジュールに接続されており、前記信号処理装置は前記分析モジュールの中に組み込まれていることを特徴とする、請求項１〜４のいずれか一項に記載の機器システム。
【請求項６】
前記分光計が患者の特定の組織部分に取り付け可能な測定ヘッドを含み、該測定ヘッド及び前記信号処理装置の両方とも、患者に貼り付け可能な分析モジュールの中に組み込まれていることを特徴とする、請求項１〜４のいずれか一項に記載の機器システム。
【発明の詳細な説明】
【技術分野】
【０００１】
本発明は医療機器システムに関し、このシステムにより連続して検知される生理学的測定信号に応じて、患者の投薬が調整される。
【発明の概要】
【発明が解決しようとする課題】
【０００２】
本発明は、高い精度によって患者の投薬が達成できる解決方法を提供するという課題に基づいている。
【課題を解決するための手段】
【０００３】
本発明に基づき、この課題は、
‐  患者の生体組織から測定信号を発生させる、特に、体液の成分組成、並びに必要に応じて一時的にのみ血管に粘着している物質の成分組成を連続して検出する分光計と、
‐  分光計側で提供される測定信号を処理し、投薬信号を生成する信号処理装置と、
‐  その投薬信号に応じて、薬剤を投与する投薬装置と、を備える医療機器システムによって解決され、
‐  信号処理装置は、分光計に接続される第１のインタフェースと、投薬装置に接続される第２のインタフェース装置と、第３のインタフェース装置とを有し、この第３のインタフェース装置によって、分光計側で提供される測定信号の評価及び投薬信号の決定手順が設定可能である。
【０００４】
これにより、有利な方法で、日常の治療に適した投薬システムを提供することが可能になり、このシステムでは、患者に合った投薬が、連続的に実施される分光測定に基づいて調整可能である。有利であるのは、この信号処理装置が、システムが患者に接続された後に点検され、設定され得ることである。第３のインタフェース装置により、好ましくは、分光計側で生成される生データも読み取ることができる。
【０００５】
好ましいのは、分光計と信号処理装置とが、これらの媒体により、細胞の動力学的プロセス、特に血管運動作用が検知可能な高いサンプルレートを用いてスペクトルの検知が行われるように形成されていることである。このことにより、密接に関連している細胞の動力学的現象が検知できる状態の下で、投薬を調整することが可能となる。
【０００６】
本発明の特別な視点により、好ましくは、第３のインタフェース装置によって、それぞれの信号処理プログラムを信号処理装置の中に読み込むことができ、これらの信号処理プログラムは、最初は、例えばいわゆるツールとして、コンピュータのオペレーションシステムの中に保存されている。信号処理装置の設定は、好ましくは、ドラッグアンドドロップ動作により、並びにグラフィックでサポートされた範囲及びパラメータ選択により信号処理装置の機能を決定できるユーザーインタフェースを介して行われる。
【０００７】
ドラッグアンドドロップ機能により、例えば調整技術的に重要な物質及び現象を選択することができる。範囲選択によって、これらの選択された物質及び現象の妥当性を調整することができる。好ましくは、通常必要な投薬には特別な制限コンセプトが提供され、この制限コンセプトは担当医により、必要に応じてさらに狭い範囲に変更することができる。
【０００８】
好ましくは、システムのコンポーネントには、それぞれ独自のコーディングが設定されているため、例えば調剤のために設定されている手順は、該当する投薬装置の制御だけがこれを行うことができる。
【０００９】
信号処理装置は、投薬信号が０〜９９の範囲の目盛りとして出力されるように形成することができる。
【００１０】
分光計は、患者の特定の組織部分に取り付け可能な測定ヘッドを含み、この測定ヘッドは光導波路装置を介して分析モジュールに接続されるように形成することができ、その際、信号処理装置はそれぞれの分析モジュールの中に組み込まれている。
【００１１】
本発明のその他の詳細及び特徴は、図を用いた以下の説明に示されている。
【図面の簡単な説明】
【００１２】
【図１】図１は、本発明に基づく医療機器システムの構造を具体的に示す概略図である。
【発明を実施するための形態】
【００１３】
図１は、本発明に基づく医療機器システムを示している。このシステムは、患者の生体組織から測定信号を発生させる、特に、体液の成分組成、並びに必要に応じて一時的にのみ該当する組織部分に存在する、血管に粘着している物質の成分組成を連続して検出する分光計を含んでいる。この分光計は測定ヘッド１を含み、この例では、測定ヘッドがアームバンド２によって患者３に接続されている。この測定ヘッドは、光導波路ケーブルＬによって測定装置４に接続されている。この測定装置４は、分光計と、分光計側で提供される測定信号を処理するためのプログラミング可能な信号処理装置５と、を含んでいる。この信号処理装置５は、さらに、この信号処理装置によって投薬信号が生成できるように形成されており、この信号によって投薬装置６が制御される。投薬装置６は、前述の投薬信号に応じて、薬剤を投与するために用いられる。信号処理装置は、分光計に接続する第１のインタフェースと、投薬装置に接続する第２のインタフェース装置と、第３のインタフェース装置とを有し、この第３のインタフェース装置によって、分光計側で提供される測定信号の評価及び投薬信号の決定手順が設定可能である。信号処理装置の設定後、設定用コンピュータ７はシステムから切り離すことができる。その後すぐに、患者の分光測定に応じて、及び信号処理装置に保存されたプログラムに応じて、投薬が行われる。
【図１】
2013539989.tif 000003
【国際調査報告】
2013539989.tif 000004
2013539989.tif 000005
2013539989.tif 000006
2013539989.tif 000007